(57)【要約】      （修正有）【課題】ツアープロゴルファー及びトップアマチュアの要求に完全に適合するカバーに網目構造を有するゴルフボールを提供する。【解決手段】カバーに網目構造を有するゴルフボール１００ａは、コア層１とコア層１を被覆するカバー層２とを備える。カバー層２は、３次元ウィスカネットワーク構造からなる無機充填物で均一に覆われる。これにより、ティーショットの飛距離とチッピングで球を打つ場合に発生するゴルフボールのバックスピン量とを両立させることができる。【選択図】図２
0003207169.tif 000002
【実用新案登録請求の範囲】
【請求項１】
コア層と、
前記コア層を被覆し、３次元ウィスカネットワーク構造からなる無機充填物を含むカバー層と、
を備えることを特徴とする、カバーに網目構造を有するゴルフボール。
【請求項２】
前記３次元ウィスカネットワーク構造は、酸化亜鉛ウィスカを含むことを特徴とする、請求項１に記載のカバーに網目構造を有するゴルフボール。
【請求項３】
前記３次元ウィスカネットワーク構造は、炭化ケイ素ウィスカ、窒化ケイ素ウィスカ、酸化アルミニウムウィスカ、チタン酸カルシウムウィスカ、チタン酸カリウムウィスカ、チタン酸バリウムウィスカ、ホウ酸アルミニウムウィスカ、ケイ酸カルシウムウィスカ、ホウ酸マグネシウムウィスカ、炭酸カルシウムウィスカ、及びオキシ硫酸マグネシウムウィスカの中の少なくとも１種をさらに含むことを特徴とする、請求項２に記載のカバーに網目構造を有するゴルフボール。
【請求項４】
前記無機充填物は、繊維状構造体をさらに含むことを特徴とする、請求項２に記載のカバーに網目構造を有するゴルフボール。
【請求項５】
前記繊維状構造体は、ガラス繊維及び炭素繊維の中の少なくとも１種を含むことを特徴とする、請求項４に記載のカバーに網目構造を有するゴルフボール。
【請求項６】
前記無機充填物は、層状構造体をさらに含むことを特徴とする、請求項４に記載のカバーに網目構造を有するゴルフボール。
【請求項７】
前記層状構造体は、タルク、マイカ、ガラスフレーク、スメクタイト、及びモンモリロナイトの中の少なくとも１種を含むことを特徴とする、請求項６に記載のカバーに網目構造を有するゴルフボール。
【請求項８】
前記コア層と前記カバー層との間に設けられる中間層をさらに備えることを特徴とする、請求項１に記載のカバーに網目構造を有するゴルフボール。
【請求項９】
前記コア層に被覆される内コア層をさらに備えることを特徴とする、請求項１に記載のカバーに網目構造を有するゴルフボール。
【考案の詳細な説明】
【技術分野】
【０００１】
本考案はゴルフボールに関し、特にカバーに網目構造を有するゴルフボールに関する。
【背景技術】
【０００２】
近年、生活レベルの向上及び余暇生活への重視に伴い、ゴルフボールというスポーツが好きになる各業種及び異なる年齢層からの老若男女がますます多くなってきた。ゴルフボールのスポーツの世界における特性は、相互に直接競争する場合、例えば、ハンディキャップによる採点、異なるティーインググラウンド、及びチーム編成形態等で、異なる業種、異なる年齢層の人々が一緒に試合したりゴルフの会合に参加したりすることができる。
【０００３】
ゴルフボールの試合では、ゴルフボールは種々の異なる方法で押し出され、その過程においてティーショットの飛距離とショートゲーム（ｓｈｏｒｔ  ｇａｍｅ）が常に試合の決勝のキーポイントとなる。しかし、ゴルフボールの球体の性能は球を打った後球の飛翔方向及び飛距離に影響し、球体の制御性も決めるものであり、例えば、ある特定の硬度と回転特性はフルスイングの速度で打球する場合、ボールの飛距離に寄与し、即ち打者が適切な正確性を有する長距離の飛距離で打ち出すことができるが、グリーンの近くに、より精確にカットしパットする等のことでボールを打ち、さらに打球者の所望する球筋と距離を生じる場合、このような硬度及び回転特性が必要としない。
【考案の概要】
【考案が解決しようとする課題】
【０００４】
したがって、本考案者は長年に渡り関連分野の設計及び製造に従事する経験で、如何にゴルフボールの飛距離を向上できるかを積極的に検討するとともに、球体への制御を改善し、各条件にて慎重に考慮したうえで、ようやく本考案が開発された。
【０００５】
本考案の主な目的は、ツアープロゴルファー及びトップアマチュアの要求に完全に適合するカバーに網目構造を有するゴルフボールを提供することにある。
【課題を解決するための手段】
【０００６】
コア層と、前記コア層を被覆し、中には３次元ウィスカネットワーク構造からなる無機充填物で均一に覆われるカバー層とを備えることを特徴とする、カバーに網目構造を有するゴルフボール。
【０００７】
本考案の一実施例において、前記３次元ウィスカネットワーク構造は、酸化亜鉛ウィスカを含む。
【０００８】
本考案の一実施例において、前記ウィスカ状構造体は、炭化ケイ素ウィスカ、窒化ケイ素ウィスカ、酸化アルミニウムウィスカ、チタン酸カルシウムウィスカ、チタン酸カリウムウィスカ、チタン酸バリウムウィスカ、ホウ酸アルミニウムウィスカ、ケイ酸カルシウムウィスカ、ホウ酸マグネシウムウィスカ、炭酸カルシウムウィスカ、及びオキシ硫酸マグネシウムウィスカの中の少なくとも１種をさらに含む。
【０００９】
本考案の一実施例において、前記無機充填物は、繊維状構造体をさらに含む。
【００１０】
本考案の一実施例において、前記繊維状構造体は、ガラス繊維及び炭素繊維の中の少なくとも１種を含む。
【００１１】
本考案の一実施例において、前記無機充填物は、層状構造体をさらに含む。
【００１２】
本考案の一実施例において、前記層状構造体は、タルク、マイカ、ガラスフレーク、スメクタイト、及びモンモリロナイトの中の少なくとも１種を含む。
【００１３】
本考案の一実施例において、前記カバーに網目構造を有するゴルフボールは、前記カバー層と前記コア層との間に設けられる中間層をさらに備える。
【００１４】
本考案の一実施例において、前記カバーに網目構造を有するゴルフボールは、前記コア層に被覆される内コア層をさらに備える。
【考案の効果】
【００１５】
本考案の実施例に提供されるカバーに網目構造を有するゴルフボールは、「カバー層の中には３次元ウィスカネットワーク構造からなる無機充填物で均一に覆われる」ことで、ゴルフボールが優れた総合性能を備え、ティーショットの飛距離とチッピングで球を打った後で発生したバックスピン量とを両立させ、ツアープロゴルファー及びトップアマチュアの要求に完全に適合するゴルフボールである。
【図面の簡単な説明】
【００１６】
本考案の特徴及び技術内容をよりさらに理解させることができるために、以下に本考案に関する詳細な説明と添付図面を参照されたい。しかし、これらの説明と添付される図面は本考案を説明することのみに用いられ、本考案の実用新案登録請求の範囲を何ら限定するものではない。
【００１７】
【図１】本考案に係る第１の実施例のカバーに網目構造を有するゴルフボールの斜視図である。
【図２】本考案に係る第１の実施例のカバーに網目構造を有するゴルフボールの断面図である。
【図３】本考案のカバーに網目構造を有するゴルフボールのコア層及び中間層の一部とカバー層中の無機充填物の模式図（１）である。
【図４】本考案のカバーに網目構造を有するゴルフボールのコア層及び中間層の一部とカバー層中の無機充填物の模式図（２）である。
【図５】本考案に係る第２の実施例のカバーに網目構造を有するゴルフボールの断面図である。
【図６】本考案に係る第３の実施例のカバーに網目構造を有するゴルフボールの断面図である。
【考案を実施するための形態】
【００１８】
本考案に開示される内容は主にゴルフボールの構造改良に関するものである。カバー層には３次元（３Ｄ）ウィスカ（ｗｈｉｓｋｅｒ）ネットワーク構造を含む。このように、ティーショットの飛距離とチッピングで球を打つ場合に発生するゴルフボールのバックスピン量とを両立させることができる。
【００１９】
以下に特定の具体的実施例により、本考案に開示される「カバーに網目構造を有するゴルフボール」に関する実施の態様を説明する。当業者は、本明細書に開示される内容から本考案のメリットと効果が判る。本考案は他の異なる具体的実施例を介して実施または適用することができ、本明細書中のそれぞれの詳細は異なる観点と適用に基づき、本考案の趣旨を逸脱することなく各種の変形と変更を行うことができる。また、本考案の図面は簡単な模式的説明に過ぎず、実際の寸法に従い示されるものではないことをまず明らかにしておく。以下の実施の態様は本考案の関連技術内容をさらに詳しく説明するが、開示される内容は本考案の技術範囲を制限するためのものではない。
［第１の実施例］
【００２０】
図１及び図２を参照されたい。図１は本考案に係る第１の実施例のカバーに網目構造を有するゴルフボールの斜視図である。図２は本考案に係る第１の実施例のカバーに網目構造を有するゴルフボールの断面図である。図面に示すように、本実施例に提供されるカバーに網目構造を有するゴルフボール１００ａは二層のボールであり、主にコア層１（ｃｏｒｅ）とカバー層２（ｃｏｖｅｒ）とを備える。
【００２１】
具体的には、コア層１は押出成形（ｅｘｔｒｕｓｉｏｎ）により製作し加硫されてなり、コア層１の外径は１．４０〜１．６４インチの間にあっても良く、球を打つ場合により高いボール速度及びより低いバックスピンが発生し、優れたティーショット距離を達成するために、コア層１はブタジエンゴムを主な原料とする。このように、コア層１は好ましい反発係数（Ｃｏｅｆｆｉｃｉｅｎｔ  ｏｆ  ｒｅｓｔｉｔｕｔｉｏｎ、ＣＯＲ）、高耐圧性及び良い反発性を有することができる。本実施例において、コア層１は主にブタジエンゴムとコア層添加物を含む。ブタジエンゴムはコア層１において約５０ｗｔ％〜７０ｗｔ％を占める。コア層添加物は約コア層１において３０ｗｔ％〜５０ｗｔ％を占める。コア層添加物は硫酸バリウム（ＢａＳＯ４）、アクリル酸亜鉛（ＺＤＡ）、亜鉛華粉、タングステン粉、架橋剤、ステアリン酸、及びホワイトカーボン（ｗｈｉｔｅ  ｃａｒｂｏｎ）を含む。
【００２２】
カバー層２はコア層１を完全に被覆し、その効果は打球感とボールコントロールの精確性を向上することである。カバー層２は射出成形（ｉｎｊｅｃｔｉｏｎ）、圧縮成形（ｃｏｍｐｒｅｓｓｉｏｎ）、注型成形（ｃａｓｔｉｎｇ）等で製作されてもよく、外径が１．４０〜１．７０インチの間にあってもよい。カバー層２はデュポンＴＭ社から生産されるサーリン（Ｓｕｒｌｙｎ（登録商標））樹脂を主な原料とし、無機充填物２１が混入されることにより、ティーショットの飛距離を達成し、グリーンの近くにより多くのバックスピンの打球を達成することができる。
【００２３】
図３を参照されたい。よりさらには、前記無機充填物２１中の主な成分はウィスカ２１１であり、いくつかのウィスカ２１１で３次元（３Ｄ）ウィスカネットワーク構造に交織されることができる。本実施例は，無機充填物２１として、管状のウィスカ２１１ａ及び非管状のウィスカ２１１ｂを用い、具体例としては、管状あるいは非管状（例えば、４ピン状）の酸化亜鉛ウィスカ、炭化ケイ素ウィスカ、窒化ケイ素ウィスカ、酸化アルミニウムウィスカ、チタン酸カルシウムウィスカ、チタン酸カリウムウィスカ、チタン酸バリウムウィスカ、ホウ酸アルミニウムウィスカ、ケイ酸カルシウムウィスカ、ホウ酸マグネシウムウィスカ、炭酸カルシウムウィスカ、オキシ硫酸マグネシウムウィスカ等を含む。なお、サーリン（Ｓｕｒｌｙｎ（登録商標））樹脂と３次元ウィスカネットワーク構造からなる無機充填物２１で作製されるカバー層２は、優れた寸法安定性を有する上に、表面強度も改善でき、特に酸化亜鉛ウィスカを用いる場合はより良好な効果を達成することができる。
【００２４】
図４を参照されたい。本考案が所望する効果を損うことなく、前記無機充填物２１は繊維状構造体２１２及び層状構造体２１３をさらに備えても良い。無機充填物２１、繊維状構造体２１２の具体例としては、ガラス繊維、炭素繊維等を含み、層状構造体２１３の具体例は、タルク、マイカ、ガラスフレーク、スメクタイト、モンモリロナイト等を含む。また、無機充填物２１のカバー層２として、ウィスカ２１１を単独で用いることより、ウィスカ２１１、繊維状構造体２１２と層状構造体２１３を組合せて用いることの寸法精度がより高く、成形する場合の平坦度（初期平坦度）がより優れ、一般に温度変化で変動することはない。
［第２の実施例］
【００２５】
図５を参照されたい。図５は本考案に係る第２の実施例のカバーに網目構造を有するゴルフボールの断面図である。図面に示すように、本実施例に提供されるカバーに網目構造を有するゴルフボール１００ｂは３層のボールの実施の態様であり、主にコア層１と、カバー層２と、中間層３（ｍａｎｔｌｅ  ｌａｙｅｒ）とを備える。中間層３はコア層１とカバー層２との間に設けられ、コア層１を完全に被覆し、カバー層２は中間層３を完全に被覆する。内側から順に、コア層１の外径が１．３０〜１．５０インチの間にあってもよく、中間層３の外径が１．４０〜１．６４インチの間にあってもよく、カバー層２の外径が１．４０〜１．７０インチの間にあってもよい。コア層１とカバー層２の特徴及び成形方法については、第１の実施例に説明されることを参照でき、ここに重複する説明は省略する。
【００２６】
本実施例において、中間層３は射出成形（ｉｎｊｅｃｔｉｏｎ）、圧縮成形（ｃｏｍｐｒｅｓｓｉｏｎ）、注型成形（ｃａｓｔｉｎｇ）等で製作されてもよく、中間層３の効果はゴルフボールの性能向上であり、例えば、中間層３はコア層１と相乗効果を生じ、球を打つ場合のボール速度と打球距離を向上させてもよく、カバー層２と相乗効果を生じ、チッピングで球を打つ場合に発生するゴルフボールのバックスピン量を向上させてもよい。中間層２の主な原料はＨＰＦ樹脂、熱可塑性プラスチックあるいはイオノマー（ｉｏｎｏｍｅｒ）であってもよく、その含有量が８０ｗｔ％〜１００ｗｔ％の間にあってもよく、ＨＰＦ樹脂の具体例は、ＨＰＦ１０００、ＨＰＦ２０００、ＨＰＦ  ＡＤ１０３５、ＨＰＦ  ＡＤ１１７２等を含む。これらの商品はすべてデュポン社（Ｅ．Ｉ．Ｄｕｐｏｎｔ  ｄｅ  Ｎｅｍｏｕｒｓ  ａｎｄ  Ｃｏｍｐａｎｙ）から生産され、イオノマーの具体例はエチレンとメタクリル酸との共重合体を含み、イオンは亜鉛、ナトリウム、リチウム、マグネシウム等を含み、イオノマーは優れた溶融強度（即ち、溶融状態で延伸しても破断しないこと）及び優れた耐衝撃靭性、耐引張性、耐久性、弾性、耐薬品性等の性能を提供できる。本考案が所望する効果を損うことなく、実際の要求に応じて中間層添加物を仕込むことができ、ゴルフボールの中間層２に用いられる添加物は、所属分野において通常の知識を有する者が周知するものであり、ここに重複する説明は省略する。
［第３の実施例］
【００２７】
図６を参照されたい。図６は本考案に係る第３の実施例のカバーに網目構造を有するゴルフボールの断面図である。図面に示すように、本実施例に提供されるカバーに網目構造を有するゴルフボール１００ｃは、３層のボールの別の実施の態様であり、主にコア層１（外コア層とも言う）と、カバー層２と、内コア層４とを備える。コア層１は、内コア層４を完全に被覆し、カバー層２はコア層１を完全に被覆し、内側から順に、内コア層４の外径が０．４０〜１．４０インチの間にあってもよく、コア層１の外径が１．４０〜１．６４インチの間にあってもよく、カバー層２の外径が１．４０〜１．７０インチの間にあってもよい。コア層１とカバー層２の特徴及び成形方法については、第１の実施例に説明されることを参照でき、ここに重複する説明は省略する。
【００２８】
本実施例において、内コア層４の材質が柔らかく、コア層１の材質が硬い。このようにして、内コア層４とコア層１の相乗効果を介して、サイドスピンを低減しボールをまっすぐ飛ばすとともに、打球の距離を長くすることができる。内コア層４の材料及び成形方法はコア層１と同じでも良く、ここに同様重複する説明は省略する。
［実施例の可能な効果］
【００２９】
本考案の実施例に提供されるゴルフボールは、「カバー層の中には３次元ウィスカネットワーク構造からなる無機充填物で均一に覆われる」ことで、ゴルフボールが優れた総合性能を備え、ティーショットの飛距離とチッピングで球を打つ場合に発生するゴルフボールのバックスピン量とを両立させ、ツアープロゴルファー及びトップアマチュアの要求に完全に適合するゴルフボールである。
【００３０】
なお、本考案の実施例に提供されるゴルフボールは３次元ウィスカネットワーク構造をカバー層に用いることで、高耐久性及び高寸法安定性を有することができる。
【００３１】
以上に記載されたことは本考案の実施例に過ぎず、本考案の実用新案登録請求の範囲を制限するためのものではない。当業者は本考案の趣旨と範囲を逸脱することなく為された変更及び変形の等価の置換は、依然として本考案の実用新案登録請求の範囲内にある。
【符号の説明】
【００３２】
１００ａ、１００ｂ、１００ｃ    カバーに網目構造を有するゴルフボール
１    コア層
２    カバー層
２１    無機充填物
２１１    ウィスカ
２１１ａ    管状のウィスカ
２１１ｂ    非管状のウィスカ
２１２    繊維状構造体
２１３    層状構造体
３    中間層
４    内コア層
【図１】
0003207169.tif 000003
【図２】
0003207169.tif 000004
【図３】
0003207169.tif 000005
【図４】
0003207169.tif 000006
【図５】
0003207169.tif 000007
【図６】
0003207169.tif 000008